(57)【要約】【課題】作業者の技能や作業環境等の影響をできるだけなくしつつ、高圧電線を確実に接続するための電線接続用圧縮スリーブを提供する。【解決手段】電線どうしを電気的に接続すべく、挿入される電線の端部に対して少なくとも中央部が圧着可能な、筒形状をなす電線接続用圧縮スリーブであって、中央部の両側の少なくとも一方には、中央部の有する第１の内径よりも大きい第２の内径を有する拡径部が設けられ、拡径部の開口端部は、第２の内径から軸線方向外方側に徐々に大きくなる第３の内径を有する。【選択図】      図１
2005183314.tif 000002
【特許請求の範囲】
【請求項１】
電線どうしを電気的に接続すべく、挿入される当該電線の端部に対して少なくとも中央部が圧着可能な、筒形状をなす電線接続用圧縮スリーブであって、
前記中央部の両側の少なくとも一方には、当該中央部の有する第１の内径よりも大きい第２の内径を有する拡径部が設けられ、当該拡径部の開口端部は、当該第２の内径から軸線方向外方側に徐々に大きくなる第３の内径を有する、
ことを特徴とする電線接続用圧縮スリーブ。
【請求項２】
前記中央部は、前記拡径部との間に、前記第１の内径から前記第２の内径まで軸線方向外方側に徐々に大きくなる第４の内径を有する境界部を備えることを特徴とする請求項１に記載の電線接続用圧縮スリーブ。
【請求項３】
前記第１の内径は、挿入される前記電線の前記端部の外径よりも大きいことを特徴とする請求項１又は２に記載の電線接続用圧縮スリーブ。
【請求項４】
前記拡径部は、前記中央部の肉厚と略等しい肉厚を有することを特徴とする請求項１乃至３の何れかに記載の電線接続用圧縮スリーブ。
【発明の詳細な説明】
【技術分野】
【０００１】
本発明は、例えば高圧引下線といった高圧電線を直接接続するために使用される電線接続用圧縮スリーブに関する。
【背景技術】
【０００２】
現在、例えば高圧引下線といった高圧電線の縁切及び縁接続の作業は、間接活線工法によって実施されている。一方、２本の電線を十分な導通状態を保持するように接続するためには、相対する当該２本の電線の端部に対して圧着可能な中央部を有する筒形状をなす電線接続用圧縮スリーブが使用される。例えば、電線の心線の外径３．２ｍｍに対して、内径３．４ｍｍを有するスリーブを適用すれば、前記の電気的な接続を実現できるとされている。
【０００３】
そこで、このスリーブによって高圧引下線の縁接続を行う場合には、例えば、作業者が、絶縁性を有する間接活線把持工具（絶縁ヤットコ等）によって当該高圧引下線の端部を把持し、電線接続用圧縮スリーブの両側に挿入するといった遠隔操作が先ず必要になる（例えば、特許文献１参照。）。
【特許文献１】特開平１１−２０５９２９号公報
【発明の開示】
【発明が解決しようとする課題】
【０００４】
しかしながら、例えば、高圧引下線の切断面にバリがあったり、当該高圧引下線の縁線の長さに余裕がなかったりする場合には、作業者が、例えば内径３．４ｍｍの電線接続用圧縮スリーブに対して、例えば外径３．２ｍｍの高圧引下線の端部を遠隔操作によって挿入することは極めて困難である。また、このような挿入は作業者の目視に基づいて行われるために、逆光下や小雨時の作業現場においては、より困難となる虞がある。これにより、作業者の技能によって施工品質が変わる虞が生じる。
【０００５】
本発明はかかる課題に鑑みてなされたものであり、その目的とするところは、作業者の技能や作業環境等の影響をできるだけなくしつつ、高圧電線を確実に接続するための電線接続用圧縮スリーブを提供することにある。
【課題を解決するための手段】
【０００６】
前記課題を解決するための発明は、電線どうしを電気的に接続すべく、挿入される当該電線の端部に対して少なくとも中央部が圧着可能な、筒形状をなす電線接続用圧縮スリーブであって、前記中央部の両側の少なくとも一方には、当該中央部の有する第１の内径よりも大きい第２の内径を有する拡径部が設けられ、当該拡径部の開口端部は、当該第２の内径から軸線方向外方側に徐々に大きくなる第３の内径を有する。
【０００７】
この電線接続用圧縮スリーブによれば、例えば、前記第１の内径を前記電線の前記端部の直径と略同じとすれば、前記第２の内径は当該直径よりも大きいこととなる。よって、前記電線の前記端部を、前記拡径部に対して容易に挿入できる。ここで、前記拡径部において、もし前記第２の内径が軸線方向について略一定であれば、当該拡径部に挿入された前記電線は、当該軸線方向に案内され易くなる。よって、前記中央部にて前記２本の電線の前記端部を互いに突き合わせることが容易にできる。これにより、前記電線どうしの電気的な接続が確実なものとなる。また、前記第３の内径は、前記電線の前記端部の直径よりも大きい上に更に軸線方向外方側に徐々に大きくなっている。よって、前記電線の前記端部を、前記拡径部に対して、より容易に挿入できる。これにより、前記電線の前記端部に例えば切断時のバリが残っていたり、例えば当該電線の縁線の長さに余裕がなかったりする場合でも、当該電線の当該端部を前記拡径部に例えば遠隔操作によって挿入することが可能となる。また、前記挿入が、例えば逆光下や小雨時の作業現場においても可能となる。従って、本発明によって、例えば作業者の技能や作業環境等の影響をできるだけ少なくしつつ、特に前記遠隔操作を必要とする高圧電線を確実に接続するための電線接続用圧縮スリーブが提供されることとなる。
【０００８】
また、かかる電線接続用圧縮スリーブにおいて、前記中央部は、前記拡径部との間に、前記第１の内径から前記第２の内径まで軸線方向外方側に徐々に大きくなる第４の内径を有する境界部を備えることが好ましい。
【０００９】
この電線接続用圧縮スリーブによれば、例えば、前記第１の内径を前記電線の前記端部の直径と略同じとすれば、前記第４の内径は当該直径よりも大きい上に更に軸線方向外方側に徐々に大きくなっている。よって、例えば、２本の前記電線のうち少なくとも一方における前記端部を前記境界部によって案内すれば、前記中央部にて当該２本の電線の当該端部を互いに突き合わせることが容易にできる。これにより、前記電線どうしの電気的な接続がより確実なものとなる。
【００１０】
また、かかる電線接続用圧縮スリーブにおいて、前記第１の内径は、挿入される前記電線の前記端部の外径よりも大きいことが好ましい。  
この電線接続用圧縮スリーブによれば、前記第２の内径も、挿入される前記電線の前記端部の外径よりも大きいこととなる。よって、前記電線の前記端部を、前記拡径部に対して容易に挿入できる。
【００１１】
また、かかる電線接続用圧縮スリーブにおいて、前記拡径部は、前記中央部の肉厚と略等しい肉厚を有することが好ましい。  
この電線接続用圧縮スリーブによれば、前記中央部の場合と同様に、前記電線の前記端部に対して、前記拡径部も適宜な圧縮工具を用いて容易に圧着することが可能である。これにより、前記電線どうしの電気的な接続がより確実なものとなる。
【発明の効果】
【００１２】
作業者の技能や作業環境等の影響をできるだけなくしつつ、高圧電線を確実に接続するための電線接続用圧縮スリーブを提供できる。
【発明を実施するための最良の形態】
【００１３】
＝＝＝電線接続用圧縮スリーブの構成＝＝＝
図面を参照しつつ、本実施の形態の電線接続用圧縮スリーブについて説明する。  
図１に示されるように、本実施の形態の電線接続用圧縮スリーブ１０は、銅製の単筒が例えば円心圧延加工されてなるものである。同図に示されるように、中央部１２と、当該中央部１２の両側に設けられた拡径部１４と、当該各拡径部１４に設けられた開口端部１６と、当該中央部１２及び当該拡径部１４の境界をなす境界部１８とが一体となって電線接続用圧縮スリーブ１０を構成している。
【００１４】
中央部１２は、長さＬ１、一定の内径Ｄｉ１（第１の内径）、一定の外径Ｄｏ１を有する単筒形状をなしており、軸線Ａ方向中央には、後述する高圧引下線１００（図２）のストッパ２０としての窪みが形成されている。また、中央部１２の外周面には、適宜な圧縮工具にて圧縮し、後述する高圧引下線１００の心線１０２（図２）に対して当該中央部１２を圧着する位置を示すローレット表示Ｍがなされている。
【００１５】
拡径部１４は、長さＬ２、一定の内径Ｄｉ２（第２の内径）、一定の外径Ｄｏ２を有する単筒形状をなしている。ここで、Ｄｉ２は前述したＤｉ１より大きい。また、本実施の形態においては、拡径部１４の肉厚（（Ｄｏ２−Ｄｉ２）／２）は、中央部１２の肉厚（（Ｄｏ１−Ｄｉ１）／２）と等しい。この拡径部１４も、後述する高圧引下線１００どうしの接続時には、当該高圧引下線１００の心線１０２に対して圧着されてもよい。これにより、後述する高圧引下線１００どうしの電気的な接続がより確実なものとなる。拡径部１４の圧着が可能な場合は、当該拡径部１４の外周面にもローレット表示Ｍがなされている。
【００１６】
開口端部１６は、長さＬ３、内径Ｄｉ３（第３の内径）、外径Ｄｏ３を有し、Ｄｉ３及びＤｏ３は軸線Ａ方向外方側に徐々に大きくなるフレア形状をなす。
【００１７】
境界部１８は、長さＬ４、内径Ｄｉ４（第４の内径）、外径Ｄｏ４を有し、Ｄｉ４及びＤｏ４は軸線Ａ方向外方側に徐々に大きくなるフレア形状をなす。具体的には、Ｄｉ４は、Ｄｉ１からＤｉ２まで軸線Ａ方向外方側に徐々に大きくなり、Ｄｏ４は、Ｄｏ１からＤｏ２まで軸線Ａ方向外方側に徐々に大きくなる。
【００１８】
尚、本実施の形態の中央部１２の寸法の一例として、後述する高圧引下線１００の心線１０２の外径を３．２ｍｍとした場合、Ｄｉ１は３．４ｍｍ、Ｄｏ１は５．５ｍｍであることが好ましい。このとき、中央部１２の肉厚（（Ｄｏ１−Ｄｉ１）／２）は１．０５ｍｍとなる。また、本実施の形態の拡径部１４の寸法の一例として、Ｄｉ２は５．６ｍｍ、Ｄｏ２は７．７ｍｍであることが好ましい。このとき、拡径部１４の肉厚（（Ｄｏ２−Ｄｉ２）／２）は１．０５ｍｍとなる。また、本実施の形態の開口端部１６の寸法の一例として、電線接続用圧縮スリーブ１０の両端面におけるＤｉ３、即ちＤｉ３の最大値は６．９ｍｍ、Ｄｏ３の最大値は９．０ｍｍであることが好ましい。
【００１９】
＝＝＝高圧引下線の接続動作＝＝＝
図面を参照しつつ、本実施の形態の電線接続用圧縮スリーブによる高圧引下線の接続動作について説明する。
【００２０】
図２に示されるように、本実施の形態において接続すべき２本の高圧引下線１００の端部は、適宜な工具によって皮剥及び磨きが行われて心線１０２が露出しているものとする。ここで、心線１０２の外径は中央部１２の内径Ｄｉ１より所定分だけ小さいものとする。
【００２１】
図２（ａ）に示されるように、絶縁ヤットコといった適宜な把持用工具にて被覆部１０４が把持されて、高圧引下線１００の心線１０２は、電線接続用圧縮スリーブ１０の開口端部１６に挿入される。例えば、心線１０２にバリがあったり、高圧引下線１００の長さが十分でなく当該心線１０２と電線接続用圧縮スリーブ１０の開口端部１６との距離も十分でなかったりする場合には、作業時に、当該心線１０２の挿入方向Ｂと当該電線接続用圧縮スリーブ１０の軸線Ａとがずれる虞が生じる。しかし、このようなずれが若干あっても、開口端部１６に当接した心線１０２は拡径部１４の内方側に向かって案内される。このような円滑な挿入は、前述した開口端部１６の内径Ｄｉ３の最大値が、心線の外径に対して十分に大きいことと、当該開口端部１６がフレア形状をなすこととにより実現される。
【００２２】
図２（ｂ）に示されるように、高圧引下線１００の心線１０２は、電線接続用圧縮スリーブ１０の拡径部１４の内方側に案内されて、境界部１８に向かう。このような円滑な案内は、前述した拡径部１４の内径Ｄｉ２が、心線の外径に対して十分大きいことと、拡径部１４が単筒形状をなすこととによって実現される。
【００２３】
図２（ｃ）に示されるように、高圧引下線１００の心線１０２は、電線接続用圧縮スリーブ１０の境界部１８に当接する。同図に示されるように、心線１０２の挿入方向Ｂ’と、電線接続用圧縮スリーブ１０の軸線Ａとが未だ若干ずれていても、境界部１８に当接した心線１０２は中央部１２に向かって更に案内され、当該中央部１２に挿入される（図２（ｄ））。このような円滑な挿入は、境界部１８がフレア形状をなすことにより実現される。
【００２４】
図２（ｅ）に示されるように、挿入後に、適宜な圧縮工具によって、高圧引下線１００が接続される。
【００２５】
本実施の形態の電線接続用圧縮スリーブ１０によれば、前記したように、中央部１２にて２本の高圧引下線１００の心線１０２を互いに突き合わせることが容易にでき、当該高圧引下線１００どうしの電気的な接続が確実なものとなる。よって、このような接続作業が、例えば逆光下や小雨時の作業現場においても可能となる。従って、例えば作業者の技能や作業環境等の影響をできるだけ少なくしつつ、高圧引下線１００を確実に接続できる。
【００２６】
＝＝＝その他の実施の形態＝＝＝
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００２７】
前述した実施の形態においては、電線接続用圧縮スリーブ１０の両端側の構成が対称であるとしたが、これに限定されるものではない。例えば、拡径部１４の内径Ｄｉ２は、軸線Ａ方向について一端側と他端側とにおいて異なるものであってもよい。開口端部１６の大きさ及びフレア形状、境界部１８の大きさ及びフレア形状についても、軸線Ａ方向について一端側と他端側とにおいて異なるものであってもよい。また、軸線Ａ方向について一端側は拡径部１４を有さず、単筒形状をなすものであってもよい。
【００２８】
また、前述した実施の形態においては、拡径部１４は単筒形状をなすものとしたが、これに限定されるものではなく、例えば山谷の平均内径Ｄｉ２が軸線Ａ方向に略一定な蛇腹形状をなすものであってもよい。
【００２９】
また、前述した実施の形態においては、拡径部１４の肉厚（（Ｄｏ２−Ｄｉ２）／２）は、中央部１２の有する肉厚（（Ｄｏ１−Ｄｉ１）／２）と等しいとしたが、これに限定されるものではない。例えば、前記の２つの肉厚が異なるものであってもよい。
【００３０】
また、前述した実施の形態においては、中央部１２の内径Ｄｉ１は、高圧引下線１００の心線１０２の外径より大きいとしたが、これに限定されるものではない。例えば、Ｄｉ１が高圧引下線１００の心線１０２の外径より小さくても、Ｄｉ２が当該外径よりも大きければよい。
【００３１】
また、前述した実施の形態においては、電線接続用圧縮スリーブ１０は、Ｄｉ１からＤｉ２まで軸線Ａ方向外方側に徐々に大きくなる内径Ｄｉ４を有する境界部１８を備えていたが、これに限定されるものではなく、例えば、境界部１８がなくてもよい。
【図面の簡単な説明】
【００３２】
【図１】本実施の形態の電線接続用圧縮スリーブの正面図である。
【図２】本実施の形態の電線接続用圧縮スリーブ及び高圧引下線の正面図である。
【符号の説明】
【００３３】
１０  電線接続用圧縮スリーブ
１２  中央部
１４  拡径部
１６  開口端部
１８  境界部
２０  ストッパ
１００  高圧引下線
１０２  心線
１０４  被覆部
【図１】
2005183314.tif 000003
【図２】
2005183314.tif 000004